【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
電子デバイスへの伝送のための電源障害検出の方法であって、前記方法は、外部電源によって実装され、前記電子デバイスは、前記外部電源から直流電力を受け取るように構成され、前記外部電源は、幹線電気ネットワークへの接続のための交流入力端子を備え、前記外部電源は、直流電力導通リードを介した前記電子デバイスへの接続のための直流出力端子を備え、前記方法は、
前記外部電源の前記交流入力端子上の幹線電力の供給の欠如を検出するステップと、
前記外部電源の前記交流入力端子上の幹線電力の供給の前記欠如が検出されると、前記交流入力端子上の幹線電力の供給の前記欠如を表す情報を前記電子デバイスに送信するステップと、
を含む、前記方法。
【請求項２】
前記外部電源の前記交流入力端子上の幹線電力の供給の前記欠如が検出されるときに、前記電子デバイスの電流消費に応じて、前記電子デバイスに直流電力を提供し続けるための前記外部電源の容量の持続時間を推定するステップをさらに含み、前記情報は前記推定するステップの結果を含む、請求項１に記載の方法。
【請求項３】
前記外部電源の前記交流入力端子上の幹線電力の供給の前記欠如が検出されるときに、前記外部電源の前記交流入力端子上の幹線電力の供給の前記欠如の持続時間を測定するステップをさらに含み、前記情報は前記測定するステップの結果を含む、請求項１または２に記載の方法。
【請求項４】
前記情報は、前記直流電力導通リードを経由して送信される、請求項１乃至３のいずれかに記載の方法。
【請求項５】
前記情報は、前記直流電力導通リードの少なくとも１つにおいて搬送波信号を変調することによって送信される、請求項４に記載の方法。
【請求項６】
前記情報は、前記直流電力導通リードの少なくとも１つにおいて直流出力電圧レベルを変調することによって送信される、請求項４に記載の方法。
【請求項７】
前記変調することは、前記交流入力端子上の幹線電力の供給の前記欠如の持続時間に応じている、請求項５又は６に記載の方法。
【請求項８】
電子デバイス用の電源障害検出の方法であって、前記方法は、前記電子デバイスにより実装され、前記電子デバイスは、外部電源から直流電力を受け取るように構成され、前記外部電源は、幹線電気ネットワークへの接続のための交流入力端子を備え、前記外部電源は、直流電力導通リードを介した前記電子デバイスへの接続のための直流出力端子を備え、前記方法は、
前記外部電源の前記交流入力端子上の幹線電力の供給の欠如を表す情報を前記電子デバイスから受け取るステップであって、前記欠如は前記外部電源により検出される、前記受け取るステップと、
差し迫った直流電源障害を前記電子デバイスに知らせるように、前記電子デバイスに含まれるプロセッサに前記情報を送信するステップと、
を含む、前記方法。
【請求項９】
前記情報は、前記外部電源の前記交流入力端子上の幹線電力の供給の前記欠如が前記外部電源により検出されるときに、前記電子デバイスの電流消費に応じた、前記電子デバイスに直流電力を提供し続けるための前記外部電源の容量の持続時間の推定値を含む、請求項８に記載の方法。
【請求項１０】
前記情報は、前記外部電源の前記交流入力端子上の幹線電力の供給の前記欠如が前記外部電源により検出されるときに、前記外部電源の前記交流入力端子上の幹線電力の供給の前記欠如の持続時間の測定値をさらに含む、請求項８または９に記載の方法。
【請求項１１】
前記情報は、前記直流電力導通リードを介して受け取られる、請求項８乃至１０のいずれかに記載の方法。
【請求項１２】
前記情報は、前記直流電力導通リードの少なくとも１つにおいて搬送波信号の変調によって受け取られる、請求項１１に記載の方法。
【請求項１３】
前記情報は、前記直流電力導通リードの少なくとも１つにおいて直流出力電圧レベルを変調することによって送信される、請求項１１に記載の方法。
【請求項１４】
電子デバイスに直流電力を提供するための外部電源であって、前記外部電源は、
幹線電気ネットワークへの接続のための交流入力端子と、
直流電力導通リードを介した前記電子デバイスへの接続のための直流出力端子と、
前記交流入力端子上の幹線電力の供給の欠如を検出するための検出器と、
前記外部電源の前記交流入力端子上の幹線電力の供給の前記欠如が前記検出器により検出されると、前記交流入力端子上の幹線電力の供給の前記欠如を表す情報を前記電子デバイスに送信するための送信機と、
を含む、前記外部電源。
【請求項１５】
前記検出器は、前記外部電源の前記交流入力端子および／または前記外部電源の内部の調節されない交流出力端子および／または前記外部電源の内部の調節されない直流出力端子に直接結合される、請求項１４に記載の外部電源。
【請求項１６】
外部電源への接続のための電子デバイスであって、前記外部電源は、幹線電気ネットワークへの接続のための交流入力端子を備え、前記外部電源は、直流電力導通リードを介する前記電子デバイスへの接続のための直流出力端子を備え、前記電子デバイスは、
プロセッサと、
前記外部電源の前記交流入力端子上の幹線電力の供給の欠如を表す情報を受け取るように構成された受信機と、
差し迫った直流電源障害を前記電子デバイスに知らせるように、前記情報を前記プロセッサに送信するように構成された送信機と、
を含む、前記電子デバイス。
【請求項１７】
前記送信機は、前記直流電力導通リードを介して前記電子デバイスに前記情報を送信するように構成されている、請求項１４に記載の外部電源。
【請求項１８】
前記送信機は、前記直流電力導通リードの少なくとも１つにおいて搬送波信号の変調を通して前記情報を送信するように構成されている、請求項１７に記載の外部電源。
【請求項１９】
前記送信機は、前記直流電力導通リードの少なくとも１つにおいてにおいて直流出力電圧レベルを変調することを通して前記情報を送信するように構成されている、請求項１７に記載の外部電源。
【請求項２０】
前記送信機による前記変調は、前記交流入力端子上の幹線電力の供給の前記欠如の持続時間に応じている、請求項１８又は１９に記載の外部電源。
【手続補正２】
【補正対象書類名】明細書
【補正対象項目名】００４６
【補正方法】変更
【補正の内容】
【００４６】
あるいは、本発明は、専用のハードウェア構成要素が、あるいはソフトウェアで実行される機能を提供する、ハードおよびソフトウェア構成要素の混合物を使用して実装される。特定の実施形態によると、本発明は、例えば専用の構成要素（例えば、ＡＳＩＣ、ＦＰＧＡ、またはＶＬＳＩ）（それぞれ、「特定用途向け集積回路」「フィールドプログラマブルゲートアレイ」および「超大規模集積回路」）として、またはデバイス内に集積された別個の電子構成要素としてハードウェアで、またはハードウェアとソフトウェアの混合物の形で、完全に実装される。
＜付記１＞
外部電源（２１）から直流（ＤＣ）電力を受け取る電子デバイス（２２）用の電源障害検出の方法であって、前記外部電源は、幹線電気ネットワークへの接続のための交流（ＡＣ）入力端子（１００）を有し、前記外部電源は、直流電力導通リードを介した前記電子デバイスへの接続のための直流出力端子（２１２）を有し、前記方法は、前記外部電源により実装され、前記方法は、
前記外部電源の前記交流入力端子上の幹線電力の供給の欠如を検出するステップ（４０１）と、
前記外部電源の前記交流入力端子上の幹線電力の供給の前記欠如が検出されると、前記交流入力端子上の幹線電力の供給の前記欠如を表す情報を送信するステップ（４０２）と、
を含む、前記方法。
＜付記２＞
前記外部電源の前記交流入力端子上の幹線電力の供給の前記欠如が検出されるときに、前記電子デバイスに直流電力を提供し続けるための前記外部電源の容量の持続時間を推定するステップをさらに含み、前記情報は前記推定するステップの結果を含む、付記１に記載の方法。
＜付記３＞
前記外部電源の前記交流入力端子上の幹線電力の供給の前記欠如が検出されるときに、前記外部電源の前記交流入力端子上の幹線電力の供給の前記欠如の持続時間を測定するステップをさらに含み、前記情報は前記測定するステップの結果を含む、付記１または２に記載の方法。
＜付記４＞
前記情報は、前記直流電力導通リードを経由して送信される、付記１乃至３のいずれかに記載の方法。
＜付記５＞
前記情報は、前記直流電力導通リードの少なくとも１つにおいて搬送波信号を変調することによって送信される、付記４に記載の方法。
＜付記６＞
前記情報は、前記直流電力導通リードの少なくとも１つにおいて直流出力電圧レベルを変調することによって送信される、付記４に記載の方法。
＜付記７＞
外部電源（２１）から直流（ＤＣ）電力を受け取る電子デバイス（２２）用の電源障害検出の方法であって、前記外部電源は、幹線電気ネットワークへの接続のための交流（ＡＣ）入力端子（１００）を有し、前記外部電源は、直流電力導通リードを介した前記電子デバイスへの接続のための直流出力端子（２１２）を有し、前記方法は、前記電子デバイスにより実装され、前記方法は、
前記外部電源の前記交流入力端子上の幹線電力の供給の欠如を表す情報を受け取るステップ（５０１）であって、前記欠如は前記外部電源により検出される、ステップと、
差し迫った直流電源障害を前記電子デバイスに知らせるように、前記電子デバイスに前記情報を送信するステップ（５０２）と、
を含む、前記方法。
＜付記８＞
前記情報は、前記外部電源の前記交流入力端子上の幹線電力の供給の前記欠如が前記外部電源により検出されるときに、前記電子デバイスに直流電力を提供し続けるための前記外部電源の前記容量の持続時間の推定値を含む、付記７に記載の方法。
＜付記９＞
前記情報は、前記外部電源の前記交流入力端子上の幹線電力の供給の前記欠如が前記外部電源により検出されるときに、前記外部電源の前記交流入力端子上の幹線電力の供給の前記欠如の持続時間の測定値をさらに含む、付記７または８に記載の方法。
＜付記１０＞
前記情報は、前記直流電力導通リードを介して受け取られる、付記７乃至９のいずれかに記載の方法。
＜付記１１＞
前記情報は、前記直流電力導通リードの少なくとも１つにおいて搬送波信号の変調によって受け取られる、付記１０に記載の方法。
＜付記１２＞
前記情報は、前記直流電力導通リードの少なくとも１つにおいて直流出力電圧レベルを変調することによって送信される、付記１０に記載の方法。
＜付記１３＞
電子デバイス（２２）に直流（ＤＣ）電力を提供するための外部電源（２１）であって、幹線電気ネットワークへの接続のための交流（ＡＣ）入力端子（１００）を有し、直流電力導通リードを介した前記電子デバイスへの接続のための直流出力端子（２１２）を有し、
前記外部電源の前記交流（ＡＣ）入力端子上の幹線電力の供給の欠如を検出するための検出器（３０）と、
前記外部電源の前記交流入力端子上の幹線電力の供給の前記欠如が前記検出器により検出されると、前記交流入力端子上の幹線電力の供給の前記欠如を表す情報を送信するための送信機（３１）と、
を含む、前記外部電源（２１）。
＜付記１４＞
前記検出器は、前記外部電源の前記交流入力端子（１００）および／または前記外部電源の内部の調節されない交流出力端子（１１５（ａ））および／または前記外部電源の内部の調節されない直流出力端子（１５５（ｃ））に直接結合される（１１５（ｂ））、付記１３に記載の外部電源。
＜付記１５＞
外部電源（２１）への接続のための電子デバイス（２２）であって、前記外部電源は、幹線電気ネットワークへの接続のための交流（ＡＣ）入力端子（１００）を有し、前記外部電源は、直流電力導通リードを介する前記電子デバイスへの接続のための直流出力端子（２１２）を有し、前記電子デバイス（２２）は、
前記外部電源の前記交流入力端子上の幹線電力の供給の欠如を表す情報を受け取るための受信機（３２）と、
差し迫った直流電源障害を前記電子デバイスに知らせるように、前記情報を送信するための送信機（３３）と、
を含む、前記電子デバイス（２２）。